(57)【要約】【課題】使用されずに放置されている医療機器を無くすことにより、医療機器の効率的な利用を図る。【解決手段】医療機器１００の消費電流を検出し、その検出結果と医療機器１００のＩＤとを関連付けて送信する稼働状態検出装置１３と、稼働状態検出装置１３から送信された情報を受信し、受信した情報に基づいて、医療機器１００が稼働状態にあるか否かを医療機器管理者に報知する稼働状態報知装置１１とを備えている。【選択図】図１
2013069067.tif 000002
【特許請求の範囲】
【請求項１】
電力を消費する医療機器の消費電流を検出し、その検出結果と該医療機器のＩＤとを関連付けて送信する稼働状態検出装置と、
上記稼働状態検出装置から送信された情報を受信し、受信した情報に基づいて、上記医療機器が稼働状態にあるか否かを医療機器管理者に報知する稼働状態報知装置とを備えていることを特徴とする医療機器の稼働監視システム。
【請求項２】
請求項１に記載の医療機器の稼働監視システムにおいて、
上記稼働状態検出手段は、上記医療機器の電源コードに取り付けられるとともに、該電源コードに流れている電流を非接触で検出する非接触電流検出センサを有しており、該電流検出センサで検出された電流に基づいて医療機器が稼働状態にあるか否かを判定するように構成されていることを特徴とする医療機器の稼働監視システム。
【請求項３】
請求項１に記載の医療機器の稼働監視システムにおいて、
上記稼働状態検出手段は、上記医療機器の電源コードと該電源コードが接続される電源コンセントとの間に取り付けられ、
上記稼働状態検出手段の情報は、電力線伝送によって上記稼働状態報知装置に送信されることを特徴とする医療機器の稼働監視システム。
【発明の詳細な説明】
【技術分野】
【０００１】
本発明は、医療機器が稼働状態にあるか否かを監視する医療機器の稼働監視システムに関するものである。
【背景技術】
【０００２】
従来から、病院内には、超音波画像診断装置や輸液ポンプ等のような電力を消費する可搬型の医療機器が多数あり、例えば病室や処置室等（以下、処置室等という）で使用されている。医療機器は全ての処置室等で使用されるわけではなく、また、各医療機器は高価であるため、通常、どの病院でも処置室等の数と同じ台数の医療機器が用意されているわけではない。
【０００３】
そこで、病院が持っている全ての医療機器を管理台帳に登録しておき、必要時に医療従事者等が借用願いのような伝票に必要事項を記入して管理部門へ提出し、必要な医療機器を貸し出すことが行われている。
【０００４】
また、医療機器の貸し出しをシステム化することも知られている（例えば特許文献１参照）。特許文献１では、各医療機器にＩＣタグを取り付けておき、このＩＣタグをＲＦＩＣリーダで読み取り、読み取った情報を無線によって機器管理サーバに送信し、データベースに日時と使用場所を関連付けて記憶させるようにしている。
【先行技術文献】
【特許文献】
【０００５】
【特許文献１】特開２００７−３１０７５９号公報
【発明の概要】
【発明が解決しようとする課題】
【０００６】
しかしながら、上述の台帳管理方式では、運用が規則どおりに正しく行われていれば、その医療機器がどこにあるのかを知ることができるのであるが、台帳や借用願いに記入ミスが生じることや、医療機器を誤って別の処置室等に持って行って使用することが考えられ、医療機器の管理が正確に行えないことがある。
【０００７】
そこで、特許文献１のように貸し出しをシステム化して人為的なミスを低減することが考えられる。
【０００８】
ところが、実際の医療現場においては、例えば、医療機器の故障や不具合に備えて必要な台数以上の機器が貸し出されていたり、予備で貸し出された医療機器が使用も返却もされずにそのまま放置されていることが発生している。従って、特許文献１のように単にどの医療機器がどこにあるかを把握できても医療機器の有効利用には結びつかず、ひいては、医療機器を必要としている患者に適切な治療を適切なタイミングで受けさせることができない事態が想定され、このことは回避しなければならない。
【０００９】
また、届出のあった処置室等に正しく貸し出された後、管理部門に何の連絡もなく、例えば別の病棟の処置室等に直接持って行く、いわゆる又貸しが行われることもある。又貸しが行われると、医療機器の管理が正確に行えないという問題がある。
【００１０】
本発明は、かかる点に鑑みてなされたものであり、その目的とするところは、使用されずに放置されている医療機器を無くすことにより、医療機器の効率的な利用を図り、もって、患者に適切な治療を適切なタイミングで行えるようにすることにある。
【課題を解決するための手段】
【００１１】
上記目的を達成するために、本発明では、医療機器の消費電力を検出することによって稼働状態を監視できるようにした。
【００１２】
第１の発明は、電力を消費する医療機器の消費電流を検出し、その検出結果と該医療機器のＩＤとを関連付けて送信する稼働状態検出装置と、上記稼働状態検出装置から送信された情報を受信し、受信した情報に基づいて、上記医療機器が稼働状態にあるか否かを医療機器管理者に報知する稼働状態報知装置とを備えていることを特徴とするものである。
【００１３】
この構成によれば、稼働状態検出装置が医療機器の消費電流を検出し、その検出結果とＩＤとを関連付けて稼働状態報知装置に送信する。これにより、どの医療機器が稼働状態（使用状態）にあって、どの医療機器が使用されずに放置されているかを医療機器管理者が知ることができる。管理者は、その情報に基づいて、放置されている医療機器があればそれを回収し、要望のある処置室等へまわすことが可能になり、医療機器の有効利用が図られる。
【００１４】
第２の発明は、第１の発明において、上記稼働状態検出手段は、上記医療機器の電源コードに取り付けられるとともに、該電源コードに流れている電流を非接触で検出する非接触電流検出センサを有しており、該電流検出センサで検出された電流に基づいて医療機器が稼働状態にあるか否かを判定するように構成されていることを特徴とするものである。
【００１５】
この構成によれば、非接触電流検出センサを用いることで、医療機器に改造を施すことなく、稼働状態検出装置を設けることが可能になる。また、医療機器が稼働状態にあるか否かを正確に判定することが可能になる。
【００１６】
第３の発明は、第１の発明において、上記稼働状態検出手段は、上記医療機器の電源コードと該電源コードが接続される電源コンセントとの間に取り付けられ、上記稼働状態検出手段の情報は、電力線伝送によって上記稼働状態報知装置に送信されることを特徴とするものである。
【００１７】
この構成によれば、電源コードと電源コンセントとの間に稼働状態検出装置を設けるようにしたので、医療機器に改造を施すことなく、稼働状態検出装置を設けることが可能になる。そして、情報が電力線を利用して稼働状態報知装置まで伝送されることになる。
【発明の効果】
【００１８】
第１の発明によれば、医療機器の消費電流に基づいて医療機器が稼働状態にあるか否かを判定できる。これにより、使用されずに放置されている医療機器を無くすことができ、医療機器の効率的な利用を図ることができ、その結果、患者に適切な治療を適切なタイミングで行うことができる。
【００１９】
第２の発明によれば、医療機器の電源コードに流れている電流を非接触電流検出センサで検出するようにしたので、稼働状態検出装置を医療機器に簡単に設けることができるとともに、医療機器が稼働状態にあるか否かを正確に判定することができる。
【００２０】
第３の発明によれば、稼働状態検出装置を、医療機器の電源コードと電源コンセントとの間に簡単に設けることができる。そして、稼働状態検出装置から送信された情報を電力線伝送によって稼働状態報知装置に送信するようにしたので、信号線等を別途接続する必要がなく、構成をシンプルにすることができる。
【図面の簡単な説明】
【００２１】
【図１】実施形態１にかかる医療機器の稼働監視システムの概略構成を示す図である。
【図２】医療機器の稼働監視システムのブロック図である。
【図３】管理者用ディスプレイに表示される画面の一例を示す図である。
【図４】実施形態２にかかる稼働状態検出装置の使用状態を示す図である。
【図５】実施形態２にかかる稼働状態検出装置のブロック図である。
【発明を実施するための形態】
【００２２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２３】
（実施形態１）
図１は、本発明の実施形態１にかかる医療機器の稼働監視システム１の概略構成を示す図である。このシステム１は、例えば大規模な病院に導入されて使用されるシステムであり、多数の医療機器１００の稼働状態を離れた所で監視することができるようになっている。
【００２４】
本稼働監視システム１の監視対象となる医療機器１００は、電力を消費する医療機器であり、例えば、輸液ポンプ、超音波画像診断装置等である。また、対象となる医療機器１００は、病棟間の移動や、病室間の移動、処置室と手術室との間の移動等が容易に行える可搬性を有するものである。各医療機器１００は、電源コード１０１と、電源コード１０１を電源コンセントＡに接続するプラグ１０２とを備えている。医療機器１００の本体部には、図示しないシリアル端子等、通信用端子が設けられている。
【００２５】
稼働監視システム１は、管理者用ディスプレイ１１を有する管理者用端末（稼働状態報知装置）１０と、各医療機器１００に設けられる複数の稼働状態検出装置１３とを備えている。
【００２６】
管理者用端末１０は、例えば医療機器１００の管理を行っている医療機器管理者が操作するものであり、例えば汎用のパーソナルコンピュータ等に所定のプログラムをインストールして後述の動作を行うように構成されている。管理者用端末１０を設置する場所は、特に限定されるものではなく、病院内であってもよいし、病院外であってもよい。
【００２７】
図２に示すように、管理者用端末１０はＣＰＵ等で構成された制御部３０と、各種情報を記憶するハードディスクドライブ等で構成された記憶部３１と、無線ＬＡＮ接続が可能な送受信部３２と、管理者用ディスプレイ１１に情報を表示させるための表示出力部３３とを備えている。送受信部３２は、例えばＷｉ−Ｆｉ規格に対応したものであり、情報の受信と送信とを行うことができるようになっている。
【００２８】
稼働状態検出装置１３は、電流検出器４０と、送信装置４１とを備えている。送信装置４１は、ＲＳ２３２Ｃ等のシリアル接続ケーブル２７を介して医療機器１００のシリアル端子に接続されている。送信装置４１には、図示しないが送信装置４１に装着された電池もしくは、AC/DCコンバータから電力供給されるようになっている。また、送信装置４１は、接続ケーブル２８を介して電流検出器４０と接続されている。電流検出器４０には、接続ケーブル２８を介して送信装置４１から電力が供給され、送信装置４１から供給された電力によって電流検出器４０が作動するようになっている。
【００２９】
電流検出器４０は、医療機器１００の電源コード１０１の周囲を囲むようにして取り付けられる。電流検出器４０は、電源コード１０１に電流が流れているか否かを非接触で検出する電流検出センサ４３と、電流の閾値を設定する閾値設定部４４と、制御部４５と、出力部４６とを備えている。
【００３０】
電流検出センサ４３は、電源コード１０１に流れる微小電流をその導電部分に接触することなく絶縁体の外部から検出できるセンサであり、従来から周知のセンサを用いることができる。この非接触型の電流検出センサ４３とすることで、医療機器１００の本体部や電源コード１０１に改造を施すことなく、消費電力を検出することが可能になる。
【００３１】
閾値設定部４４は、医療機器１００が稼働状態であるか否かを電流値から判定する際に、その閾値となる値を任意に設定することができるものである。すなわち、電流検出センサ４３で検出された電流が例えば当該医療装置１００の待機電流程度の小さなものである場合には医療機器１００は稼働していない状態である。従って、閾値は医療機器１００の待機電流よりも大きな値で、かつ、医療機器１００の稼働時に消費される定格電流よりも小さな値とする。出力部４６は、所定の信号を接続ケーブル２８を介して送信装置４１に送信するためのものである。
【００３２】
上記電流検出センサ４３、閾値設定部４４及び出力部４６は制御部４５に接続されている。制御部４５は、電流検出センサ４３で検出された電流値と閾値設定部４４で設定されている閾値とを比較し、電流検出センサ４３で検出された電流値が閾値よりも大きい場合に電流検知信号を出力部４６から出力させ、閾値よりも小さい場合には電流検知信号を出力させないように構成されている。
【００３３】
一方、送信装置４１は、ＩＤ設定部５１と、制御部５２と、送信部５３と、位置検出部５４とを備えている。ＩＤ設定部５１は、医療機器１００に固有の記号や番号等で構成されたＩＤを設定して記憶させておくことができるものである。また、このＩＤ設定部５１には、医療機器１００の種別（機器種別）も記憶されている。機器種別とは、例えば、超音波画像診断装置や輸液ポンプ等である。
【００３４】
位置検出部５４は、周知の３次元位置測定装置で構成することができる。位置検出部５４は、例えば、少なくとも３つの受信器（図示せず）に対して電波を発信し、各受信機で受信した電波の強弱に基づいて空間内での位置を検出する方法や、ＧＰＳ(global positioning system)を用いる方法等がある。
【００３５】
制御部５２は、電流検出器４０から送信された電流検知信号を受信し、この電流検知信号にＩＤ情報、機器種別情報及び位置情報を関連付けて送信部５３に送る。送信部５３は、制御部５２から送られた電流検知信号、ＩＤ情報、機器種別情報及び位置情報を管理者用端末１０へ送信する。つまり、送信装置４１は、電流検出器４０による検出結果と医療機器１００のＩＤとを関連付けて送信するように構成されている。また、電流検知信号を受信しない場合、制御部５２は稼働電流を非検知として、その電流非検知信号をＩＤ情報、機器種別情報及び位置情報と関連付けて定期的に送信部５３に送り、送信部５３は管理者用端末１０へ送信する。
【００３６】
電流検出器４０及び送信装置４１は、２４時間連続して作動させておいてもよいし、タイマー制御によって所定時間（例えば数分）おきに作動させてもよい。
【００３７】
管理者用端末１０の制御部３０は、電流検知情報（電流検知信号、電流非検知信号）、ＩＤ情報、機器種別情報及び位置情報が送られてきたら、記憶部３１に一旦記憶させる。すなわち、管理者用端末１０では、ＩＤ情報及び機器種別情報に基づいて「どの医療機器」が、位置情報に基づいて「どこにあるか」と、電流検知情報に基づいて「稼働しているか否か」とを得て、それらを時系列に記憶させていくことができるように構成されている。
【００３８】
管理者用端末１０では、本システム１が導入された病院の病棟の見取り図（複数の病棟があれば全て）を記憶させるとともに、その病棟の病室、処置室、手術室等の各部屋と３次元位置情報とを対応させて記憶させている。これにより、位置情報が分かれば、それがどの病棟のどの部屋であるか判別できる。
【００３９】
管理者用端末１０の操作によって表示出力部３３は、管理者用ディスプレイ１１に図３に示すような画面を表示させる。尚、図３に示す画面は一例であり、アイコン等を用いた表示形態であってもよい。
【００４０】
この画面には、病院内で、かつ、稼働状態検出装置１３が取り付けられた医療機器１００の全てを表示させることができる。画面内では、各医療機器１００について、ＩＤと、機器種別と、設置場所と、稼働状態とが表示され、具体的には、機器種別としては、超音波画像診断装置や輸液ポンプ、設置場所としては、病棟番号及び部屋番号、稼働状態としては昨日の稼働状態と本日の稼働状態である。設置場所の表示形態としては、例えば病室や処置室の名称や、手術室の名称等であってもよい。稼働状態の表示欄における「ＯＮ」は、その日に一度でも稼働した場合に表示され、「ＯＦＦ」とは、その日に一度も稼働しなかった場合に表示される。
【００４１】
ＯＮ、ＯＦＦの判定は、送信装置４１から送信される電流検知情報に基づいて行われ、稼働状態にある電流検知信号が送信された場合にはＯＮと判定し、電流検知信号が送信されない場合にはＯＦＦと判定する。つまり、管理者用端末１０は、稼働状態検出装置１３から送信された情報を受信し、受信した情報に基づいて、医療機器１００が稼働状態にあるか否かを医療機器管理者に報知することができるように構成されている。
【００４２】
表示画面中、「昨日稼働時間」とは、対象の医療機器１００が昨日の１日で稼働した時間を合計した時間であり、「本日稼働時間」とは、対象の医療機器１００が本日、稼働した時間を合計した時間である。
【００４３】
稼働時間は、送信装置４１から送信される電流検知情報に基づいて得る。すなわち、医療機器１００がＯＮとされてからＯＦＦになるまでの時間を計測する。ＯＮ及びＯＦＦが１日の間で複数回繰り返された場合にはその時間を加算すればよい。
【００４４】
稼働状態表示欄では、例えば過去数週間分の稼働状態を表示するようにしてもよいし、本日分のみを表示するようにしてもよい。
【００４５】
従って、管理者は、どの医療機器１００がどこに設置されていて、それが稼働状態にあるか否かを把握することができる。位置については、位置検出部５４によって常に最新の位置情報を取得することができるので、誤った情報となることはない。また、稼働状態にあるか否かについても、医療機器１００の消費電流に基づいて判定しているので、正確な情報となる。
【００４６】
そして、管理者は、稼働状態にある医療機器１００はそのままにしておき、ある一定期間稼働状態にない医療機器１００は回収して別の部屋へ搬送する。回収する際には、その医療機器１００がどこにあるか明確であるため、回収作業がスピーディに行える。
【００４７】
以上説明したように、この実施形態１にかかる医療機器の稼働監視システム１によれば、医療機器１００の消費電流に基づいて医療機器１００が稼働状態にあるか否かを判定できる。これにより、使用されずに放置されている医療機器１００を無くすことができ、医療機器１００の効率的な利用を図ることができ、その結果、患者に適切な治療を適切なタイミングで行うことができる。
【００４８】
また、非接触型の電流検出センサ４３を用いることで、医療機器１００に改造を施すことなく、稼働状態検出装置１３を設けることが可能になる。また、医療機器１００が稼働状態にあるか否かを消費電流に基づいて正確に判定することができる。
【００４９】
尚、上記実施形態１では、Ｗｉ−Ｆｉ規格の無線ＬＡＮ通信を用いて通信を行っているが、これに限らず、例えば有線ＬＡＮ通信であってもよいし、電話回線（特に携帯電話回線）を使用してもよい。
【００５０】
（実施形態２）
図４は、本発明の実施形態２にかかる稼働状態検出装置１３を示すものである。この実施形態２では、稼働状態検出装置１３の構造及び通信形態が実施形態１のものと異なっている。以下、実施形態１と同じ部分には同じ符号を付して説明を省略し、異なる部分について詳細に説明する。
【００５１】
すなわち、稼働状態検出装置１３は、医療機器１００の電源コード１０１と該電源コード１０１が接続される電源コンセントＡとの間に取り付けられ、稼働状態検出装置１３から送信された情報は、電力線伝送によって管理者用端末１０に送信されるようになっている。
【００５２】
稼働状態検出装置１３は、図５に示すように、実施形態１と同様な非接触型の電流検出センサ６０と、制御部６１と、閾値設定部６２と、ＩＤ設定値６３と、ＰＬＣ変換部６４と、医療機器１００のプラグ１０２が差し込まれて接続される雌端子６５と、電源コンセントＡに差し込まれるプラグ６６と、図示しないが位置検出部とを備えている。閾値設定部６２は、実施形態１のものと同じである。
【００５３】
ＩＤ設定部６３には、医療機器１００に固有のＩＤと、医療機器１００の種別（機器種別）とを記憶させることができる他、稼働状態検出装置１３に固有のＩＤも記憶させることができるように構成されている。
【００５４】
また、雌端子６５とプラグ６６とは接続線６７，６７によって接続されており、従って、医療機器１００には、雌端子６５とプラグ６６とを介して電源コンセントＡから電力が供給されるようになっている。また、電流検出センサ６０は、接続線６７に取り付けられている。ＰＬＣ変換部６４は、従来周知のものであり、電力線伝送（Power Line Communication）を行うための信号を生成し、電力線に乗せることができるように構成されている。
【００５５】
制御部６１は、電流検出センサ６０で検出された電流値と閾値設定部６２で設定されている閾値とを比較し、電流検出センサ６０で検出された電流値が閾値よりも大きい場合に電流値、医療機器１００のＩＤ、機器種別、位置情報をＰＬＣ変換部６４から電力線へ出力させ、また、閾値よりも小さい場合には、電流値が０であるという情報を同様に出力させるように構成されている。
【００５６】
また、制御部６１は、ＩＤ設定部６３に記憶されている稼働状態検出装置１３のＩＤを位置情報と共に出力できるように構成されており、これにより、例えば稼働状態検出装置１３単体の位置も把握することが可能である。
【００５７】
この実施形態２では、稼働状態検出装置１３を医療機器１００の電源コード１０１と電源コンセントＡとの間に簡単に設けることができる。また、電力線伝送を利用しているので、信号線等を別途接続する必要がなく、構成をシンプルにすることができる。
【００５８】
管理者用ディスプレイ１１には、実施形態１の同様な情報が表示される。
【００５９】
したがって、実施形態２にかかる医療機器の稼働監視システム１によれば、実施形態１と同様に、医療機器１００の効率的な利用を図ることができ、その結果、患者に適切な治療を適切なタイミングで行うことができる。
【００６０】
尚、上記実施形態１、２では、稼働監視システム１を病院に設置した場合について説明したが、これに限らず、例えば介護施設等に設置することも可能である。
【００６１】
また、互いに離れた複数の病院の医療機器１００に稼働状態検出装置１３をそれぞれ取り付けておき、そのうちの１つの病院に管理者用端末１０及び管理者用ディスプレイ１１を設置して集中管理するようにしてもよい。
【００６２】
また、稼働状態検出装置１３は、在宅医療を行っている家庭に設置された医療機器１００に取り付けるようにしてもよい。これにより、各家庭で医療機器１００が有効に利用されているか否かを管理者が把握することができる。
【産業上の利用可能性】
【００６３】
以上説明したように、本発明にかかる医療機器の稼働監視システムは、例えば、病院や介護施設等で使用することができる。
【符号の説明】
【００６４】
１        医療機器の稼働監視システム
１０      管理者用端末（稼働状態報知装置）
１１      管理者用ディスプレイ
１３      稼働状態検出装置
４３      電流検出センサ（非接触電流検出センサ）
１００    医療機器
１０１    電源コード
Ａ        電源コンセント
【図１】
2013069067.tif 000003
【図２】
2013069067.tif 000004
【図３】
2013069067.tif 000005
【図４】
2013069067.tif 000006
【図５】
2013069067.tif 000007